【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
交換レンズが着脱可能な撮像装置であって、
光学像を光電変換する撮像素子と、
前記撮像素子から得られた像信号に基づいて位相差方式による焦点検出を行う第１の焦点検出手段と、
コントラスト方式による焦点検出を行う第２の焦点検出手段と、
焦点調節を行う制御手段と、を有し、
前記制御手段は、第１のモードにおいては、前記第１の焦点検出手段を用いて焦点調節を行い、第２のモードにおいては、前記交換レンズのレンズ情報に応じて選択された前記第１の焦点検出手段または前記第２の焦点検出手段を用いて焦点調節を行う、ことを特徴とする撮像装置。
【請求項２】
前記制御手段は、前記第２のモードにおいて、前記レンズ情報が第１の情報である場合、前記第１の焦点検出手段を用いて焦点調節を行い、前記レンズ情報が第２の情報である場合、前記第２の焦点検出手段を用いて焦点調節を行うことを特徴とする請求項１に記載の撮像装置。
【請求項３】
前記制御手段は、前記第２のモードにおいて、前記レンズ情報が第１の情報である場合、焦点検出領域の像高に応じて選択された前記第１の焦点検出手段または前記第２の焦点検出手段を用いて焦点調節を行い、前記レンズ情報が第２の情報である場合、前記第２の焦点検出手段を用いて焦点調節を行うことを特徴とする請求項１に記載の撮像装置。
【請求項４】
前記制御手段は、前記第２のモードにおいて、前記レンズ情報が第１の情報である場合、焦点検出領域が所定の領域内である場合、前記第１の焦点検出手段を用いて焦点調節を行い、前記焦点検出領域が前記所定の領域内でない場合、前記第２の焦点検出手段を用いて焦点調節を行い、前記レンズ情報が第２の情報である場合、前記第２の焦点検出手段を用いて焦点調節を行うことを特徴とする請求項１に記載の撮像装置。
【請求項５】
前記制御手段は、前記第２のモードにおいて、前記レンズ情報が第１の情報である場合、撮影シーンに応じて選択された前記第１の焦点検出手段または前記第２の焦点検出手段を用いて焦点調節を行い、前記レンズ情報が第２の情報である場合、前記第２の焦点検出手段を用いて焦点調節を行うことを特徴とする請求項１に記載の撮像装置。
【請求項６】
前記制御手段は、前記第２のモードにおいて、前記レンズ情報が第１の情報である場合、撮影シーンが前記位相差方式による焦点検出の際に所定の信頼度が得られるシーンである場合、前記第１の焦点検出手段を用いて焦点調節を行い、前記撮影シーンが前記所定の信頼度が得られるシーンでない場合、前記第２の焦点検出手段を用いて焦点調節を行い、前記レンズ情報が第２の情報である場合、前記第２の焦点検出手段を用いて焦点調節を行うことを特徴とする請求項１に記載の撮像装置。
【請求項７】
前記制御手段は、一対の前記像信号の一致度、鮮鋭度、明暗比、相関変化量、および、蓄積時間の少なくとも一つに基づいて、前記撮影シーンが前記所定の信頼度が得られるシーンであるか否かを判定することを特徴とする請求項６に記載の撮像装置。
【請求項８】
前記第１の情報は、前記交換レンズが前記位相差方式による焦点検出に対応していることを示す情報であり、
前記第２の情報は、前記交換レンズが前記位相差方式による焦点検出に対応していないことを示す情報であり、
前記制御手段は、前記第１のモードにおいて、前記レンズが前記位相差方式による焦点検出に対応していない場合でも、前記第１の焦点検出手段を用いた焦点調節を行えることを特徴とする請求項２乃至７のいずれか１項に記載の撮像装置。
【請求項９】
前記第１の情報は、前記交換レンズが前記位相差方式による焦点検出において所定の合焦精度を有することを示す情報であり、
前記第２の情報は、前記交換レンズが前記位相差方式による焦点検出において前記所定の合焦精度を有しないことを示す情報であることを特徴とする請求項２乃至７のいずれか１項に記載の撮像装置。
【請求項１０】
前記レンズ情報は、前記交換レンズのメモリに格納されていた情報であることを特徴とする請求項１乃至９のいずれか１項に記載の撮像装置。
【請求項１１】
前記第１のモードは、連続的に焦点調節を行いながら前記交換レンズを駆動するモードであることを特徴とする請求項１乃至１０のいずれか１項に記載の撮像装置。
【請求項１２】
前記第２のモードは、焦点調節後に前記交換レンズを合焦位置に停止させるモードであることを特徴とする請求項１乃至１１のいずれか１項に記載の撮像装置。
【請求項１３】
前記制御手段は、レリーズスイッチが半押し状態になった場合、前記第１のモードから前記第２のモードに変更することを特徴とする請求項１乃至１２のいずれか１項に記載の撮像装置。
【請求項１４】
交換レンズと、
請求項１乃至１３のいずれか１項に記載の撮像装置と、を有することを特徴とする撮像システム。
【請求項１５】
撮像素子から得られた像信号に基づいて位相差方式による焦点検出を行う第１の焦点検出手段、および、コントラスト方式による焦点検出を行う第２の焦点検出手段を用いた交換レンズが着脱可能な撮像装置の制御方法であって、
焦点調節を制御する制御ステップを有し、
前記制御ステップでは、第１のモードにおいては、前記第１の焦点検出手段を用いて焦点調節を行い、第２のモードにおいては、前記交換レンズのレンズ情報に応じて選択された前記第１の焦点検出手段または前記第２の焦点検出手段を用いて焦点調節を行うように制御することを特徴とする撮像装置の制御方法。
【請求項１６】
前記第２のモードにおいて、前記レンズ情報が第１の情報である場合、前記第１の焦点検出手段を用いて焦点調節を行い、前記レンズ情報が第２の情報である場合、前記第２の焦点検出手段を用いて焦点調節を行うように制御することを特徴とする請求項１５に記載の撮像装置の制御方法。
【請求項１７】
請求項１５または１６に記載の撮像装置の制御方法をコンピュータに実行させるように構成されていることを特徴とするプログラム。
【請求項１８】
請求項１７に記載のプログラムを記憶していることを特徴とする記憶媒体。
【手続補正２】
【補正対象書類名】明細書
【補正対象項目名】０００８
【補正方法】変更
【補正の内容】
【０００８】
本発明の一側面としての撮像装置は、交換レンズが着脱可能な撮像装置であって、光学像を光電変換する撮像素子と、前記撮像素子から得られた像信号に基づいて位相差方式による焦点検出を行う第１の焦点検出手段と、コントラスト方式による焦点検出を行う第２の焦点検出手段と、焦点調節を行う制御手段と、を有し、前記制御手段は、第１のモードにおいては、前記第１の焦点検出手段を用いて焦点調節を行い、第２のモードにおいては、前記交換レンズのレンズ情報に応じて選択された前記第１の焦点検出手段または前記第２の焦点検出手段を用いて焦点調節を行う。
【手続補正３】
【補正対象書類名】明細書
【補正対象項目名】０００９
【補正方法】変更
【補正の内容】
【０００９】
本発明の他の側面としての撮像システムは、交換レンズと、前記撮像装置とを有する。
【手続補正４】
【補正対象書類名】明細書
【補正対象項目名】００１０
【補正方法】変更
【補正の内容】
【００１０】
本発明の他の側面としての撮像装置の制御方法は、撮像素子から得られた像信号に基づいて位相差方式による焦点検出を行う第１の焦点検出手段、および、コントラスト方式による焦点検出を行う第２の焦点検出手段を用いた交換レンズが着脱可能な撮像装置の制御方法であって、焦点調節を制御する制御ステップを有し、前記制御ステップでは、第１のモードにおいては、前記第１の焦点検出手段を用いて焦点調節を行い、第２のモードにおいては、前記交換レンズのレンズ情報に応じて選択された前記第１の焦点検出手段または前記第２の焦点検出手段を用いて焦点調節を行うように制御する。